(57)【要約】【課題】ノイズフィルタ用電気素子を安定的に支持したノイズフィルタ内蔵型コネクタを提供する。【解決手段】ノイズフィルタ用電気素子６を内蔵するジョイントコネクタであって、第１室４と第２室５とを備えたコネクタハウジング１と、前記第１室４内に突出した状態で並列する複数本のタブ部９と前記第２室５内に突出する接続部１２とを有する複数のジョイント端子片ＵＪ，ＬＪとを備え、前記ノイズフィルタ用電気素子６は、前記第２室５内に収容され、かつ前記ジョイント端子片ＵＪ，ＬＪの前記接続部１２に接続されるとともに、前記ジョイント端子片ＬＪに一体に形成され、前記第２室５内に延出する支持部１３にて支持されている。【選択図】図１
2014157730.tif 000002
【特許請求の範囲】
【請求項１】
ノイズフィルタ用電気素子を内蔵するジョイントコネクタであって、
第１室と第２室とを備えたコネクタハウジングと、
前記第１室内に突出した状態で並列する複数本のタブ部と前記第２室内に突出する接続部とを有する複数のジョイント端子片とを備え、
前記ノイズフィルタ用電気素子は、前記第２室内に収容され、かつ前記ジョイント端子片の前記接続部に接続されるとともに、前記ジョイント端子片に一体に形成され、前記第２室内に延出する支持部にて支持されていることを特徴とするノイズフィルタ内蔵型ジョイントコネクタ。
【請求項２】
前記各ジョイント端子片は、それぞれキャリアから連結片にて切り離し可能に連結され、かつ前記支持部は前記連結片であることを特徴とする請求項１に記載のノイズフィルタ内蔵型ジョイントコネクタ。
【請求項３】
前記ノイズフィルタ用電気素子はアルミ電解コンデンサであり、同コンデンサはその一側の端面に形成された引き出し面から一対のリード線が引き出される一方、前記コンデンサは前記支持部に対し前記引き出し面が前記支持部の延出方向を向いた姿勢で支持され、前記両リード線は前記引き出し面から折り返されてその先端部が前記接続部と接続されていることを特徴とする請求項１又は請求項２に記載のノイズフィルタ内蔵型ジョイントコネクタ。
【発明の詳細な説明】
【技術分野】
【０００１】
本発明はノイズフィルタ内蔵型ジョイントコネクタに関するものである。
【背景技術】
【０００２】
従来より、自動車等に搭載された複数の電子機器から導出された複数の電線を一括して接続するコネクタとしてジョイントコネクタと呼ばれる形式が知られている。その中には、ノイズフィルタ用素子としてのコンデンサを収容したものも種々開発されている。一例として、下記特許文献１を挙げることができる。
ここには、ハウジング内に複数のバスバー片と、そのうちの二つのバスバー片間に各リード線を介して接続されるコンデンサを組み込んだ構成のものが開示されている。
【先行技術文献】
【特許文献】
【０００３】
【特許文献１】特開２００７−２８７６４４号公報
【発明の概要】
【発明が解決しようとする課題】
【０００４】
しかし、上記の構成では、コンデンサに対する支持について十分な配慮がなされておらず、コンデンサ自体は中空に浮いた状態となっていて、ハウジングやバスバー片による支持を受けていない。したがって、自動車等からの走行時の振動を受けると、リード線とバスバー片との接続信頼性が低下することが懸念された。
【０００５】
本発明は上記のような事情に基づいて完成されたものであって、ノイズフィルタ用電気素子を安定的に支持することができるジョイントコネクタを提供することを目的とする。
【課題を解決するための手段】
【０００６】
本発明のノイズフィルタ内蔵型ジョイントコネクタは、ノイズフィルタ用電気素子を内蔵するジョイントコネクタであって、
第１室と第２室とを備えたコネクタハウジングと、
第１室内に突出した状態で並列する複数本のタブ部と第２室内に突出する接続部とを有する複数のジョイント端子片とを備え、
ノイズフィルタ用電気素子は、第２室内に収容され、かつジョイント端子片の接続部に接続されるとともに、ジョイント端子片に一体に形成され第２室内に延出する支持部にて支持されていることを特徴とする。
【発明の効果】
【０００７】
本発明によれば、ノイズフィルタ用電気素子がジョイント端子片に一体に形成された支持部によって支持されるため、ノイズフィルタ用電気素子を安定的に支持することができる。
【図面の簡単な説明】
【０００８】
【図１】本実施例におけるジョイントコネクタの平断面図
【図２】同じく側断面図
【図３】上下段のジョイント端子片を示す斜視図
【図４】下段側のジョイント端子片がキャリアに連列されている状態を示す斜視図
【図５】コンデンサの支持状態を拡大して示す正断面図
【発明を実施するための形態】
【０００９】
本発明における好ましい実施の形態を説明する。
【００１０】
（１）本発明のノイズフィルタ内蔵型ジョイントコネクタは、各ジョイント端子片が、それぞれキャリアから連結片にて切り離し可能に連結され、かつ支持部は前記連結片である構成とすることが好ましい。
このような構成によれば、支持部を既存の連結片を利用して構成することができるため、ノイズフィルタ用電気素子を支持するための専用の支持部を設ける必要がない。
【００１１】
（２）ノイズフィルタ用電気素子はアルミ電解コンデンサであり、同コンデンサはその一側の端面に形成された引き出し面から一対のリード線が引き出される一方、コンデンサは支持部に対し引き出し面が支持部の延出方向を向いた姿勢で支持され、両リード線は引き出し面から折り返されてその先端部が接続部と接続されている構成としてもよい。
このような構成とは逆に、アルミ電解コンデンサの設置方向に関しリード線が引き出される引き出し面の向きを支持部の延出方向とは反対向きにすると、万一、リード線が引き出される部分から電解液の漏れが生じると、タブ部に近いことから短絡が懸念されるため、その対策が必要となる。しかし、アルミ電解コンデンサの引き出し面の向きを支持部の延出方向に沿わせれば、万一、電解液の漏れが生じても、リード線を伝ってタブ部に至るまでの距離は十分に長く確保できるため、短絡の虞は殆どない。
【００１２】
次に、本発明のノイズフィルタ内蔵型ジョイントコネクタを具体化した実施例１について、図面を参照しつつ説明する。
＜実施例１＞
本実施例に係るジョイントコネクタのコネクタハウジング１は合成樹脂製であり、本体部２と蓋部３との２体構成となっている。本体部２には前方へ開口する角筒状のフード部（第１室）４が一体に形成されている。本体部２においてフード部４の後部側にはコンデンサ収容室（第２室）５が形成されており、コンデンサ収容室５内にはノイズフィルタ用電気素子としてのコンデンサ６が収容されている。コンデンサ収容室５は上面側と後面側がそれぞれ開放しており、これら開放面は蓋部３によって閉止されるようになっている。フード部４とコンデンサ収容室５とは仕切り壁７によって仕切られている。コンデンサ収容室５内の底面には凸部１９が形成されるとともに、この凸部１９の上面には差し込み溝１５が凹み形成されている。
【００１３】
蓋部３は、コンデンサ収容室５の上面側を閉止する上面壁３Ａとこの上面壁３Ａの後縁から下方へ屈曲に延出してコンデンサ収容室５の後面側を閉止する後面壁３Ｂとから構成されている。蓋部３には図示しないロック手段が備えられ、このロック手段は蓋部３がコンデンサ収容室５の開放面を閉止した状態で本体部２に係止することができる。
次に、ジョイント端子片ＵＪ，ＬＪについて説明すると、本実施例では２つのジョイント端子片ＵＪ，ＬＪを有しており、これらはコネクタハウジング１に対し上下に並んで組み付けられている。両ジョイント端子片ＵＪ，ＬＪは、図３に示すように、導電性の金属板をプレスにて打ち抜いて形成したものであり、基板部８の前縁に複数のタブ部９を櫛歯状に突出させた構成となっている。両ジョイント端子片ＵＪ，ＬＪは仕切り壁７に対し後方から圧入することによって組み付けられている。具体的には、仕切り壁７には両ジョイント端子片ＵＪ，ＬＪの基板部８が圧入される上下一対の保持溝１０が形成されている。上下の保持溝１０は仕切り壁７の後面側に開口し幅方向に長いスリット状に形成されており、その前面壁１０Ａには各タブ部９が挿通可能なタブ挿通孔１１が貫通して形成されている。このことによって、フード部４内には複数のタブ部９が上下二段にかつ幅方向に並列した状態で突出している。
【００１４】
上段側に配されるジョイント端子片（以下、上段側ジョイント端子片ＵＪと言う。）において、基板部８の後縁であって一方の端部（図示右端部）寄りには後方へ向けて接続部１２が一体に延出している。下段側に配されるジョイント端子片（以下、下段側ジョイント端子片ＬＪと言う。）における接続部１２は、基板部８の後縁であって図示左端部寄りの部位に設けられている。下段側ジョイント端子片ＬＪの接続部１２は図２、図３に示すように、上方へ向けてクランク状に屈曲している。上下のジョイント端子片ＵＪ，ＬＪがコネクタハウジング１に組み付けられた状態では、下端側ジョイント端子片ＬＪにおける接続部１２の先端部の上面の高さは上段側ジョイント端子片ＵＪの接続部１２の上面とほぼ面一をなすようにしてある。また、下段側ジョイント端子片ＬＪにおける基板部８の後縁であって幅方向の中央部にはコンデンサ６を支持するための支持部１３が後方へ向けて一体に延出している。
【００１５】
下段側ジョイント端子片ＬＪは、図４に示すように、キャリア１４に複数個が一定ピッチ間隔で連結された状態から、それぞれキャリア１４との連結を断ち切ることによって切り出されて使用される。上記した支持部１３はキャリア１４との連結を行う部分でもあり、支持部１３の先端部には幅狭部１３Ａが形成されてキャリア１４との連結を断ち易くしている。図２に示すように、支持部１３の先端側は下方へ屈曲している。幅狭部１３Ａは凸部１９の差し込み溝１５へ突っ込まれ、支持部１３を水平状態に支持する。
【００１６】
本実施例のコンデンサ６はアルミ電解コンデンサが使用されており、その一端面は引き出し面１６となっており、同面からは二本のリード線１７Ａ，１７Ｂが引き出されている。コンデンサ６は図１に示すように、引き出し面１６を、後方に向けた状態で支持部１３上に載置されている。そして、両リード線１７Ａ，１７Ｂは引き出し面１６から略真っ直ぐ後方へ引き出された後、略Ｕ字状に折り返されている。その上で、一方のリード線１７Ａは上段側ジョイント端子片ＵＪの接続部１２の先端部に半田付けによって接続され、他方のリード線１７Ｂは下段側ジョイント端子片ＬＪの接続部１２の先端部に半田付けされている。
【００１７】
また、図５に示すように、前記した蓋部３の内面におけるコンデンサ６の上方の対応位置に押さえ部材１８が取り付けられている。押さえ部材１８の下面には、コンデンサ６の外周面の形状に適合するような凹面形状をもつ押さえ面１８Ａが形成され、蓋部３がコネクタハウジング１に取り付けられた状態で、押さえ部材１８は押さえ面１８Ａにてコンデンサ６の外周面に密着し、支持部１３との間にコンデンサ６を上下から挟み付けた状態で保持する。
【００１８】
次に、上記のように構成された本実施例の作用効果を説明する。まず、ジョイントコネクタの組み立て作業の一例を説明すると、蓋部３を取り外した状態のコネクタハウジング１に対し、後方から両ジョイント端子片ＵＪ，ＬＪを対応する保持溝１０内へ圧入する。このとき、両ジョイント端子片ＵＪ，ＬＪの各タブ部９は対応する各タブ挿通孔１１へ差し込みつつ、基板部８の前縁を保持溝１０内の前面壁１０Ａに当接させる。これにより、基板部８が保持溝１０内に圧入されて保持される。こうしてコネクタハウジング１に取り付けられた両ジョイント端子片ＵＪ，ＬＪの接続部１２は共にほぼ同一高さに保持される。
【００１９】
続いて、コンデンサ６の両リード線１７Ａ、１７ＢをＵ字状に折り返した状態で、かつ引き出し面１６を後方へ向けつつ下段側ジョイント端子片ＬＪの支持部１３上にコンデンサ６を載置する。この際に、コンデンサ６を支持部１３上に接着剤等の接着手段を用いて固定するようにしてもよい。
【００２０】
最後に、蓋部３を本体部２に対し図示しないロック手段を介して装着すれば、本体部２の上面側と後面側とが閉止される。
【００２１】
そして、ノイズ電流は上段側ジョイント端子片ＵＪからリード線１７Ａ、コンデンサ６、リード線１７Ｂ、下段側ジョイント端子片ＬＪを経由することで図示しないアースに接続されて除去される。
【００２２】
本実施例の効果は次の通りである。本実施例では、ノイズフィルタ用電気素子であるコンデンサ６が下段側ジョイント端子片ＬＪに一体に形成された支持部１３によって支持されるため、コンデンサ６が安定的に支持される。更に、支持部１３は仕切り壁７及びコンデンサ収容室５内の底面に形成された凸部１９にて両持ちで支持されるため、コンデンサ６は一層安定的に支持される。
【００２３】
蓋部３の押さえ部材１８と支持部１３との間で挟持されているから上下のがたつきも抑制でき、さらに押さえ部材１８はコンデンサ６の外周面のうち上半周分を押さえ込むようにしているから、幅方向へのがたつきも抑制できる。
【００２４】
コンデンサ６はリード線１７Ａ、１７Ｂの引き出し面１６を後方へ向けて配置するようにしている。仮に、引き出し面１６を前方へ向けてコンデンサ６を配置すると、万一リード線１７Ａ、１７Ｂの付け根部分から電解液が漏れ出るような事態を生じると、電解液が伝わるリード線１７Ａ、１７Ｂから各タブ部９までの長さが短く、短絡が懸念されるが、本実施例のような後ろ向き配置とすれば、電解液がリード線１７Ａ、１７Ｂを伝ってタブ部９側へ到達するまでの距離が長く、短絡回避に好都合である。
【００２５】
また、コンデンサ６を支持する支持部１３はキャリア１４との連結片をそのまま利用している。つまり、本来であれば切り落とされる部材を利用してコンデンサ６の支持を行うため、材料を有効活用することができる。
【００２６】
以上、本発明によれば、ノイズフィルタ用電気素子６がジョイント端子片ＬＪに一体に形成された支持部１３によって支持されるため、ノイズフィルタ用電気素子６を安定的に支持するノイズフィルタ内蔵型ジョイントコネクタが提供可能となる。
【００２７】
＜他の実施例＞
本発明は上記記述及び図面によって説明した実施例に限定されるものではなく、例えば次のような実施例も本発明の技術的範囲に含まれる。
（１）上記実施例では、両ジョイント端子片は仕切り壁７に対して圧入によって保持されるようにしたが、インサート成形によって保持されるようにしてもよい。
（２）上記実施例では、ノイズフィルタ用電気素子として、アルミ電解コンデンサを使用したが、フィルムコンデンサやセラミックコンデンサ等の他のコンデンサでもよい。
（３）上記実施例では、ノイズフィルタ用電気素子を１つ実装したが、これに限らず、２つ以上実装しても良い。
（４）上記実施例では、両ジョイント端子片とコンデンサのリード線とを半田付けにより接続したが、これに限らず、抵抗溶接やレーザー溶接を用いて接続しても良い。
（５）上記実施例では、コネクタハウジングを本体部と蓋部の２部材により構成したが、これに限らず、これらをヒンジを介して開閉可能に接続し、一体化させても良い。
【符号の説明】
【００２８】
１…コネクタハウジング
４…フード部（第１室）
５…コンデンサ収容室（第２室）
６…コンデンサ（ノイズフィルタ用電気素子）
ＵＪ，ＬＪ…上段側、下段側ジョイント端子片（ジョイント端子片）
９…タブ部
１２…接続部
１３…支持部
１４…キャリア
１６…引き出し面
１７Ａ、Ｂ…リード線
【図１】
2014157730.tif 000003
【図２】
2014157730.tif 000004
【図３】
2014157730.tif 000005
【図４】
2014157730.tif 000006
【図５】
2014157730.tif 000007